(57)【特許請求の範囲】
【請求項１】
筐体と、
上記筐体にヒンジ装置を介して回動可能に接続された表示部と、を具備し、
上記筐体は、第１の側壁と、第１の背壁と、上記第１の側壁に連続するとともに上記第１の側壁よりも上記筐体の外に突出された第２の側壁と、上記第１の背壁に連続するとともに上記第１の背壁よりも上記筐体の外に突出された第２の背壁と、上記第２の側壁と上記第２の背壁とにより形成され、上記ヒンジ装置が配置された角部と、を有し、上記角部は、上記表示部が上記筐体の上に閉じられた時に上記表示部よりも外に突出されているとともに、上記ヒンジ装置と上記第２の側壁との間および上記ヒンジ装置と上記第２の背壁との間に夫々間隙が設けられたことを特徴とする電子機器。
【請求項２】
底壁を有する筐体と、
上記筐体にヒンジ装置を介して回動可能に接続された表示部と、を具備し、
上記筐体は、第１の側壁と、第１の背壁と、上記第１の側壁に連続するとともに上記第１の側壁よりも上記筐体の外に突出された第２の側壁と、上記第１の背壁に連続するとともに上記第１の背壁よりも上記筐体の外に突出された第２の背壁と、上記第２の側壁と上記第２の背壁とにより形成され、上記表示部が上記筐体の上に閉じられた時に上記表示部よりも外に突出された角部と、を有し、上記ヒンジ装置は、上記筐体の上記角部に配置されているとともに、上記第２の側壁と上記ヒンジ装置との間および上記第２の背壁と上記ヒンジ装置との間に夫々上記底壁から突出された補強壁が設けられたことを特徴とする電子機器。
【発明の詳細な説明】
【技術分野】
【０００１】
本発明は、ノート型コンピュータ等の電子機器に係り、特に筐体の構造に関する。
【背景技術】
【０００２】
近年、ノート型コンピュータ等の電子機器は、軽量化、薄型化が追及され、携帯性を大きく向上させている。しかしながら、電子機器の携帯頻度が高くなるにつれ、携帯時に電子機器を落としたり、机等にぶつけてしまうことが発生しており、電子機器の筐体の強度を向上させることが必要である。
【０００３】
このような筐体の強度の向上を目的としたものとして、筐体の角部にクッション材を用いたプロテクタを設けたものがある（例えば、特許文献１参照）。
【特許文献１】米国特許第５５８３７４２号明細書（第５コラム第１０行目以降、第９コラム第４０行目以降）
【発明の開示】
【発明が解決しようとする課題】
【０００４】
しかし、特許文献１に開示された筐体の保護構造は、筐体とは別の部材、すなわち、弾力性を持ったクッション材を筐体の角部に設ける必要があり、コスト、製造性、デザイン性等の面で好ましくないとともに、電子機器の重量が増加するという問題が存在する。
【０００５】
また、特許文献１の着想は、筐体の強度を向上させるというものではなく、筐体を保護するという観点に基づくものである。
【０００６】
本発明は、筐体の強度を向上させることが可能な電子機器の提供を目的とする。
【課題を解決するための手段】
【０００７】
上記目的を達成するため、本発明の一つの形態に係る電子機器は、
筐体と、上記筐体にヒンジ装置を介して回動可能に接続された表示部と、を備えている。
上記筐体は、第１の側壁と、第１の背壁と、上記第１の側壁に連続するとともに上記第１の側壁よりも上記筐体の外に突出された第２の側壁と、上記第１の背壁に連続するとともに上記第１の背壁よりも上記筐体の外に突出された第２の背壁と、上記第２の側壁と上記第２の背壁とにより形成され、上記ヒンジ装置が配置された角部と、を有している。上記角部は、上記表示部が上記筐体の上に閉じられた時に、上記表示部よりも外に突出されているとともに、上記ヒンジ装置と上記第２の側壁との間および上記ヒンジ装置と上記第２の背壁との間に夫々間隙が設けられたことを特徴としている。
【発明の効果】
【０００８】
本発明によれば、筐体の強度を向上させることができる。
【発明を実施するための最良の形態】
【０００９】
以下本発明に係る実施の形態を、図面を参照して説明する。
【００１０】
図１は、電子機器の斜視図である。図１に示すように、ノート型コンピュータ(電子機器)１は、筐体２を有している。筐体２は側壁３を有している。筐体２の後端部にヒンジ部４を介して表示部５が回動可能に接続されている。筐体２の上面にはキーボード６が実装されている。
【００１１】
図２は、筐体２の後部における角部の拡大図である。側壁３は、第１の側壁３ａと第１の背壁３ｂを有している。筐体２の後部に角部８が位置されている。角部８は、第１の側壁３ａから徐々に側方に突出するテーパー面１１と、このテーパー面１１からさらに後方に伸びる側壁９と、第１の背壁３ｂから徐々に後方に突出するテーパー面１２と、このテーパー面１２からさらに側方に伸びる背壁１０とにより形成される。
【００１２】
テーパー面１１と側壁９とにより第２の側壁が形成され、テーパー面１２と背壁１０とにより第２の背壁が形成されている。したがって、第２の側壁と第２の背壁とにより角部が形成されることとなり、第２の側壁は第１の側壁３ａに対して筐体２の側方に突出し、第２の背壁は第１の背壁３ｂに対して筐体２の後方に突出している。
筐体２には、ヒンジ部４が配置される切欠き１４が形成され、切欠き１４内にヒンジ装置２０のシャフト１３が突出している。
【００１３】
図３は、上ケースを外した筐体２の後部における角部８の平面図である。図４は、上ケースを外した筐体２の後部における角部８の斜視図である。角部８にヒンジ装置２０が配置されている。ヒンジ装置２０はブラケット２１を有している。ブラケット２１は、筐体２の底壁３ｃにねじ２２，２３で固定されている。ブラケット２１は、第２の側壁の方向に延びる延部２１ａを有している。延部２１ａには、側壁９と平行に上方に起こされた起立壁２５が設けられている。側壁９と起立壁２５との間には、補強壁３０が設けられている。補強壁３０は、底壁３ｃから上方に突出するとともに、起立壁２５と対向している。
ブラケット２１の端部２４にシャフト１３の一端１３ａが結合されている。ブラケット２1と背壁１０との間には、補強壁３０と同様の補強壁３１が設けられている。
【００１４】
表示部５が筐体２の上に閉じられた状態においては、表示部５の側壁および背壁は、電子機器の上方から見た時に、夫々筐体２の第１の側壁３ａおよび第１の背壁３ｂとほぼ同じ線上に位置されている。したがって、側壁９およびテーパー面１１により形成された第２の側壁は、表示部５の側壁よりも側方に突出し、背壁１０およびテーパー面１２により形成された第２の背壁は、表示部５の背壁よりも後方に突出している。
【００１５】
したがって、電子機器１を落下させたような場合、筐体２の角部８が突出しているため最初に角部８が床面等に接触し、表示部５が床面等に最初に接触するのを防ぐことができる。よって、表示部５および筐体２の全体の強度を上げることができる。
【００１６】
また、角部８に設けられた補強壁３０は、電子機器１が角部８から床面に落下した時、筐体２の内部に配置されているブラケット２１の起立壁２５と側壁９との衝突を防ぐ。同様に、角部８に設けられた補強壁３１は、電子機器１が角部８から床面に落下した時、筐体２の内部に配置されているブラケット２１と背壁１０との衝突を防ぐ。よって、ブラケット２１により側壁９および背壁１０が破損するのを防止することができる。
【００１７】
本発明では、その主旨を逸脱しない範囲であれば、上記の実施形態に限定されるものではない。そして、本発明に係る電子機器は、携帯電話、電子手帳等にも広く適用できるものである。
【図面の簡単な説明】
【００１８】
【図１】電子機器の斜視図。
【図２】筐体の後部における角部の拡大図。
【図３】上ケースを外した筐体の後部における角部の平面図。
【図４】上ケースを外した筐体の後部における角部の斜視図。
【符号の説明】
【００１９】
１…ノート型コンピュータ（電子機器）、２…筐体、３ａ…第１の側壁、３ｂ…第１の背壁、３ｃ…底壁、４…ヒンジ部、６…キーボード、８…角部、９…側壁、１０…背壁、１１，１２…テーパー面、１３…シャフト、１４…切欠き、２０…ヒンジ装置、２１…ブラケット、２１ａ…延部、２５…起立壁、３０，３１…補強壁。
【図１】
0004537843.tif 000002
【図２】
0004537843.tif 000003
【図３】
0004537843.tif 000004
【図４】
0004537843.tif 000005